(57)【要約】      （修正有）【課題】アダプタ・コネクタとケーシングとの間の結合安定度を向上して組立効率を向上させる。【解決手段】電源アダプタ２０は、ケーシング２２と、アダプタ・コネクタ２１とを備えている。ケーシング２２は、くぼみ区２２１と、導電端子２２３と、第１の開口２２２とを備えている。アダプタコネクタ２１は、本体２１１と導電片２１２と支持アーム２１３と突出部２１４とを備えている。本体２１１は、第１の表面２１１１と、第２の開口を有する第２の表面２１１２とを備えている。導電片２１２は、突出した第１の端末と、突出した第２の端末とを備えている。支持アーム２１３は、本体２１１に接続されると共に本体２１１から横方向に突出されている。突出部２１４は、支持アーム２１３に接続されている。アダプタ・コネクタ２１とケーシング２２とは、突出部２１４が第１の開口２２２に嵌合して本体２１１をくぼみ区２２１に固定させる。【選択図】図１
2004228080.tif 000002
【特許請求の範囲】
【請求項１】
くぼみ区と、前記くぼみ区内に位置する導電端子と、第１の開口とを有するケーシングと、
アダプタ・コネクタと、
を備えてなり、前記アダプタ・コネクタは、
第１の表面と、第２の開口を有する第２の表面とを備えた本体と、
前記第１の表面より突出した第１の端末と、前記本体内に内蔵されていると共に前記第２の開口の底部より突出した第２の端末とを備えた導電片と、
前記本体に接続されると共に前記本体から横方向へ突出された支持アームと、
前記支持アームに接続された突出部と
を備え、
前記アダプタ・コネクタが前記ケーシングのくぼみ区の第１の位置に置かれた状態から第２の位置に所定の角度回転されると、前記突出部が前記第１の開口に嵌合されて前記アダプタ・コネクタの前記本体が前記くぼみ区に固定されることを特徴とする電源アダプタ。
【請求項２】
前記本体は円形板であり、
前記本体と、前記支持アームと、前記突出部とは一体成形され、および／もしくは、前記導電片は湾曲が防止される導電材質により構成されていることを特徴とする請求項１に記載の電源アダプタ。
【請求項３】
前記ケーシングは、前記支持アームと前記突出部とを前記第１の位置から前記第２の位置に回転するのに必要な空間を提供し、第１および第２の端末を有するガイド・スロットをさらに備え、
前記ガイド・スロットの第１の端末の軸方向における水平高度は、前記ガイド・スロットの第２の端末の動方向における水平高度よりも高く、
前記第１の端末の軸方向は、前記第１の開口の前記ケーシング上における平面すなわち第３の表面に対して垂直であり、
前記第１の端末は、前記突出部の入口であり、および／もしくは、前記第２の端末は前記突出部の出口であることを特徴とする請求項１に記載の電源アダプタ。
【請求項４】
前記突出部および前記支持アームはいずれも弾性構造であり、
前記くぼみ区の側壁にはさらに第１のダンパが配設され、
前記部分アダプタ・コネクタの側壁には、さらに第２のダンパが配設され、および／もしくは、前記角度は５°ないし９０°であることを特徴とする請求項１に記載の電源アダプタ。
【請求項５】
前記突出部が前記第１の開口に嵌合されたとき、前記突出部の前記軸方向における水平高度は、前記第３の表面の軸方向における水平高度より低く、
前記第３の表面は、前記第１の開口の前記ケーシング上にある平面であり、かつ、前記軸方向は前記第３の表面に対して垂直であり、および／もしくは、前記支持アームと前記本体との間にはさらに弾性素子が備えられていることを特徴とする請求項１もしくは請求項３に記載の電源アダプタ。
【請求項６】
くぼみ区と導電端子とを具備し、前記くぼみ区の側壁上に第１の固定装置を有する第１のダンパが設置されたケーシングと、
アダプタ・コネクタと
を備え、前記アダプタ・コネクタは、
第１の表面と、所定の開口を有する第２の表面とを備えた本体と、
前記第１の表面より突出した第１の端末と、前記本体内に内蔵されていると共に前記開口の底部より突出した第２の端末とを備えた導電片と、
前記部分アダプタ・コネクタの側壁に位置され、且つ第２の固定装置を備えた第２のダンパと
を備え、
前記アダプタが前記くぼみ区の第１の位置に配置して前記アダプタ・コネクタを第２の位置まで回転されると、前記第１の固定装置と前記第２の固定装置とが相互嵌合して前記アダプタ・コネクタが前記ケーシングに固定されることを特徴とする電源アダプタ。
【請求項７】
前記導電端子は前記くぼみ区内に位置しており、
前記第１の固定装置はノッチであり、および／もしくは、前記第２の固定装置は突起であることを特徴とする請求項６に記載の電源アダプタ。
【発明の詳細な説明】
【技術分野】
【０００１】
本発明は、アダプタ・コネクタとケーシングとの間の結合安定度を向上して組み立て効率を向上させることができる電源アダプタに関する。
【背景技術】
【０００２】
一般に世界各地を旅行する場合、各地の電圧変化に適応するために携帯電気器具用に電源アダプタが使用されている。電圧を提供するソケットは、国家によりそれぞれ異なっている。したがって、国家によるソケットの変化に適応するために、電源アダプタにアダプタ・コネクタを変換する機能を持たせている。
【０００３】
図７は、従来の電源アダプタの構造見取図を示す。詳細には、図７（Ａ）は、電源アダプタのケーシングを示す概略的な斜視図を示し、図７（Ｂ）は、電源アダプタのアダプタ・コネクタを示す概略的な斜視図を示す。図８は、従来技術のアダプタ・コネクタの内部構造を示す透視図である。詳細には、図８（Ａ）は、アダプタ・コネクタの上端面のカバーを取り外した状態の斜視図を示し、図８（Ｂ）は、アダプタ・コネクタの上面図を示す。
【０００４】
図７に示すように、電源アダプタ１０のアダプタ・コネクタ１１は、スライド方式で電源アダプタ１０の本体内に滑り込み、ケーシングの本体１２上の係止部１２１でアダプタ・コネクタ１１と係合により固定される。
【発明の開示】
【発明が解決しようとする課題】
【０００５】
図７に示すこの種の構造の電源アダプタ１０は製作が繁雑であると共に、使用上の欠点が存在している。図８（Ａ）および図８（Ｂ）に示すアダプタ・コネクタ１１の導電片１１１は、アダプタ・コネクタ１１の内部において、図７（Ａ）に示すケーシングの本体１２上の導電端子１２２との接触に応じるために、より一つ多いステップでアダプタ・コネクタ内部の導電片１１２を一定の曲率に曲げなければならない。このため、製作上、コストと時間とにおいて頗る大きな影響を引き起こしている。
【０００６】
先ず、導電片１１２の末端を所定の曲率に曲げるために、製作時により一つ多い製作ステップを経過しなければならない。これに応じて製作時間が増加すると共に、下端の導電片１１２を被覆するためにアダプタ・コネクタ１１の全体に要する材料を増加する必要がある。この上、製作的に比較的複雑となり、アダプタ・コネクタ１１の製作時に絶対に改善しなければならない問題が存在している。
【０００７】
なお、図７に示す電源アダプタ１０のアダプタ・コネクタ１１（図７（Ｂ）参照）は、使用者がケーシングの「ＰＵＳＨ」キー１２３を押すことにより本体１２（図７（Ａ）参照）との係合が消失され、本体１２から離脱されるように設計されている。しかし、この様な設計はアダプタ・コネクタ１１をしてややもすればケーシングから離脱することとなり、使用者が使用時によほど注意しなければ「ＰＵＳＨ」キー１２３に不本意にタッチしてしまい、アダプタ・コネクタ１１のケーシングからの離脱を引き起こすという問題が存在している。また、このような設計によると、それに関連する部品の製作および組み立てが余計に増し、製作コストおよび時間的に浪費するという問題が生ずる。
【０００８】
したがって、本願出願人は、上記先行技術の欠点に鑑み、鋭意試験と研究とを重ねた結果、ついに本発明の電源アダプタを案出した。
【０００９】
従来の電源アダプタは、構造が比較的複雑なために使用の手順も比較的多く、使用者に余計なトラブルを引き起こさせていた。
【００１０】
本発明の第１の目的は、ケーシング上の第１の開口とアダプタ・コネクタの突出部と、またはケーシング上の第１のダンパとアダプタ・コネクタの第２のダンパとの相互嵌合を利用して、アダプタ・コネクタをケーシング上にしっかり固定させることにより、電源アダプタの使用過程においてアダプタ・コネクタがケーシングから離脱されるのを回避する電源アダプタを提供することにある。
【００１１】
本発明の第２の目的は、ケーシング上の第１の開口とアダプタ・コネクタ上の突出部と、またはケーシング上の第１のダンパとアダプタ・コネクタ上の第２のダンパとの相互嵌合を利用して、アダプタ・コネクタをケーシング上にしっかり固定させることにより、電源アダプタの加工ステップを減少させる電源アダプタを提供することにある。
【００１２】
本発明の第３の目的は、ケーシング上の第１の開口とアダプタ・コネクタ上の突出部と、またはケーシング上の第１のダンパとアダプタ・コネクタ上の第２のダンパとの相互嵌合を利用して、アダプタ・コネクタをケーシング上にしっかり固定させることにより、電源アダプタの製造コストを降下させる電源アダプタを提供することにある。
【００１３】
要するに、本発明の目的は、アダプタ・コネクタとケーシングとの間をより堅固に結合させると共に、使用者の一時の不注意のためにアダプタがケーシングから分離され電源アダプタの使用の際にトラブルが不本意に発生する等の欠点を解消する回転式アダプタ・コネクタ固定構造の電源アダプタを提供することにある。
【課題を解決するための手段】
【００１４】
上記目的を達成するための本発明の電源アダプタは、くぼみ区と、前記くぼみ区内に位置する導電端子と、第１の開口とを有するケーシングと、アダプタ・コネクタとを備えてなり、前記アダプタ・コネクタは、第１の表面と、第２の開口を有する第２の表面とを備えた本体と、前記第１の表面より突出した第１の端末と、前記本体内に内蔵されていると共に前記第２の開口の底部より突出した第２の端末とを備えた導電片と、前記本体に接続されると共に前記本体から横方向へ突出された支持アームと、前記支持アームに接続された突出部とを備え、そして、前記アダプタ・コネクタが前記ケーシングのくぼみ区の第１の位置に置かれた状態から第２の位置に所定の角度回転されると、前記突出部が前記第１の開口に嵌合されて前記アダプタ・コネクタの前記本体が前記くぼみ区に固定されることを特徴とする。
【００１５】
本発明は例えば以下のように実施される。  
第１の実施の態様において、ケーシング上には、くぼみ区が形成されている。このくぼみ区は、ちょうどアダプタ・コネクタを収容できるように形成されている。これによりアダプタ・コネクタがケーシングと結合して電源アダプタが形成される。
【００１６】
くぼみ区の外形は通常、アダプタ・コネクタと支持アームの外形により決定される。アダプタ・コネクタ上の導電片は、いずれも本体上の第１の表面より突出している第１の端末と、本体内に内蔵され、且つ第２の開口の底部より突出している第２の端末とに区分されている。
【００１７】
アダプタ・コネクタが有する支持アームは、その上の本体に接続されているとともに、本体から横方向に突出されている。支持アームは、さらにケーシング上の第１の開口と相互嵌合する突出部を備えている。
【００１８】
支持アームは、アダプタ・コネクタをくぼみ区の第１の位置に置いた後、所定の角度回転させてアダプタ・コネクタを第２の位置に到達させる。支持アーム上の突出部がケーシング上の第１の開口に嵌合してアダプタ・コネクタをケーシング上に係合により固定させると共に、導電片が導電端子と相互接触して電気導通状態を形成する。
【００１９】
第２の実施の態様において、ケーシング内には、さらに突出部を順調に第１の開口と嵌合させるガイド・スロットが形成されている。アダプタ・コネクタをケーシングと接合させる場合、このガイド・スロットを通してアダプタ・コネクタを所定の角度回転させてケーシングと嵌合させる。この回転角度の範囲は５°ないし９０°であり、アダプタ・コネクタはこの範囲の回転により、第１の位置から中間に位置するガイド・スロットを通過して第２の位置に至る。
【００２０】
ガイド・スロットは、ケーシング内のくぼみ区の側壁（側部）に形成されており、アダプタ・コネクタの回転時に、突出部または、支持アームおよび突出部が通過するルートである。突出部は、このルートを通して第１の開口に到達され、第１の開口と嵌合されてアダプタ・コネクタをケーシング上に係合により固定させる。
【００２１】
ガイド・スロットはさらに、突出部の入口端である第１の端末と、突出部の出口端である第２の端末とを備えている。ガイド・スロットの第１の端末および第２の端末の軸方向における水平高度は同一でなく、この軸方向はケーシング上の第３の表面、すなわちケーシング上の第１の開口が所在する平面に対して垂直である。
【００２２】
ガイド・スロットの第１の端末において、ガイド・スロットの頂端の軸方向における水平高度は比較的高く、ガイド・スロットの第２の端末に近づくにつれて、ガイド・スロットの頂端の軸方向における水平高度が徐々に低くなっている。この水平高度が徐々に降下している構造により、支持アームおよび突出部はいずれもアダプタ・コネクタの回転により生ずる圧力を受けて徐々に下へ押される。そして、ケーシング上の第１の開口に到達するや突出部が弾き上り、第１の開口と相互嵌合してアダプタ・コネクタをケーシング上に係合により固定させる。
【００２３】
第３の実施の態様において、本発明の電源アダプタでは、部分くぼみ区の側壁には、第１のダンパが設置されている。部分アダプタ・コネクタの側壁には、第２のダンパが設置されている。このため、アダプタ・コネクタがくぼみ区の第１の位置に進入して第２の位置まで回転した後、部分アダプタ・コネクタ上の側壁の第２のダンパが部分くぼみ区の側壁に設置された第１のダンパに制限されてくぼみ区に係合により固定される。ちなみに、第１のダンパおよび第２のダンパは需要に応じて設置されるもので、第１のダンパと第２のダンパとが互いにマッチ出来ればよい。
【００２４】
なお、第４の実施の態様では本発明の電源アダプタは、ケーシング上の第１の開口、アダプタ・コネクタ上の支持アームおよび突出部の代わりに、くぼみ区の側壁上に位置する第１のダンパと、アダプタ・コネクタの側壁上に位置する第２のダンパとによりアダプタ・コネクタをケーシング上に固定させるように構成されている。
【００２５】
第１のダンパ上には、第１の固定装置が設置されている。第２のダンパ上には、第２の固定装置が設けられている。第１の固定装置および第２の固定装置は通常、ノッチまたは突起である。
【００２６】
アダプタ・コネクタをくぼみ区内に入れて所定の角度回転させると、第１の固定装置が第２の固定装置と相互結合される。このため、部分または全面的に第２のダンパが第１のダンパにカバーされると共に、第１のダンパを第２のダンパと相互結合させてアダプタ・コネクタをケーシング上に係合により固定させる。
【００２７】
特に、本発明の電源アダプタのケーシングとアダプタ・コネクタとは、いずれも一体成形方式で製造され得るので、電源アダプタの加工ステップを減少できると共に、電源アダプタの製作コストを低下させることができる。
【発明の効果】
【００２８】
本発明によれば、アダプタ・コネクタとケーシングとの間をより堅固に結合させると共に、使用者の一時の不注意のためにアダプタがケーシングから分離され電源アダプタの使用の際にトラブルが不本意に発生する等の欠点を解消する回転式アダプタ・コネクタ固定構造の電源アダプタを提供することができる。
【発明を実施するための最良の形態】
【００２９】
以下、上記実施の態様をより具体化した実施の形態を添付図を参照しながら説明する。
【００３０】
図１には本発明の第１の実施の形態に係る電源アダプタの構造見取図を示す。詳細には、図１（Ａ）は、電源アダプタのケーシングを示す概略的な斜視図を示し、図１（Ｂ）は、電源アダプタのアダプタ・コネクタを示す概略的な斜視図を示す。図２は本発明の第１の実施の形態におけるアダプタ・コネクタの側面図を示す。
【００３１】
これら図１（Ａ）および図１（Ｂ）に示すように、本実施の形態の電源アダプタ２０は、ケーシング２２と、アダプタ・コネクタ２１とを備えている。図１（Ａ）に示すように、ケーシング２２は、くぼみ区２２１と、このくぼみ区２２１内に位置する導電端子２２３と、第１の開口２２２とを備えている。導電端子２２３の数量は、製品の需要に応じて２個以上の複数の導電端子を使用することができる。
【００３２】
図１（Ｂ）および図２に示すように、アダプタ・コネクタ２１は、本体２１１と、導電片２１２と、支持アーム２１３と、突出部２１４とを備えている。本体２１１は、第１の表面２１１１と、第２の開口２１１３を有する第２の表面２１１２とを含む。図２に示す導電片２１２の数量および第２の開口２１１３の数量は、製品の需要に応じて２個以上の複数の導電片２１２および複数の第２の開口２１１３を使用することができる。
【００３３】
図１（Ｂ）に示すように、本実施の形態においては、アダプタ・コネクタ２１の本体２１１は通常、円盤形、支持アーム２１３は通常、長方形である。図１（Ａ）に示すケーシング２２上のくぼみ区２２１がちょうどアダプタ・コネクタ２１を収容できるように、アダプタ・コネクタ２１をケーシング２２と結合して電源アダプタを形成するために、くぼみ区２２１の外形は通常、アダプタ・コネクタおよび支持アームの外形により決定される。本実施の形態では、くぼみ区２２１の外形は、円形および長方形に形成されている。しかし、本発明はこれに限定されるものではない。
【００３４】
図２に示すアダプタ・コネクタ２１における各導電片２１２は、それぞれ本体２１１の第１の表面２１１１より突出した第１の端末２１２１と、本体２１１内に内蔵され、且つ第２の開口２１１３の底部２１１４より突出した第２の端末２１２２とに区分されている。支持アーム２１３はさらに、ケーシング２２上の第１の開口２２２と相互嵌合するための突出部２１４を備えている。
【００３５】
アダプタ・コネクタ２１をくぼみ区２２１の第１の位置に置いた後、所定の角度回転させてアダプタ・コネクタ２１を第２の位置に到達させる。すると、支持アーム２１３上の突出部２１４がケーシング２２上の第１の開口２２２に嵌合されてアダプタ・コネクタ２１がケーシング２２上に係合により固定されると共に、導電片２１２が導電端子２２３と相互接触されて電気導電状態に形成される。
【００３６】
本実施の形態に採用されている導電片２１２は、湾曲しない導電材質により構成されている。導電片２１２は、本体２１１上の第１の表面２１１１より突出した第１の端末２１２１と、本体２１１内に内蔵され、且つ第２の開口２１１３の底部２１１４より突出した第２の端末２１２２とに区分されている。第１の表面２１１１より突出した導電片２１２の第１の端末２１２１は、電源アダプタ２０がソケットに差し込む媒介として働くものである。
【００３７】
そして、アダプタ・コネクタ２１がケーシング２２上のくぼみ区２２１に進入すると、本体２１１に内蔵され、且つ第２の開口２１１３の底部２１１４より突出した導電片２１２の第２の端末２１２２が導電端子２２３と接触して電気導通を形成する。また、製品の需要に応じて本実施の形態により採用された支持アーム２１３および突出部２１４の材質は、いずれも弾性材質が採用され、または、支持アーム２１３および突出部２１４のうちの一方の部材のみ弾性材質が採用されている。
【００３８】
本実施の形態の電源アダプタ２０の後続使用の過程において、突出部２１４をケーシング２２上の第１の開口２２２と嵌合または開口２２２から離脱させてアダプタ・コネクタ２１をケーシング２２上で自在に運用できるようにする。仮に、本実施の形態における支持アーム２１３および突出部２１４がいずれも弾性材質でない場合、支持アーム２１３が本体２１１に対応して弾力を有するように支持アーム２１３と本体２１１との間に弾性素子を設置すればよい。
【００３９】
使用者が本実施の形態の電源アダプタ２０を使用する場合、先ずアダプタ・コネクタ２１を、本体２１１、支持アーム２１３および突出部２１４がちょうどケーシング２２のくぼみ区２２１に進入する第１の位置に調整する。このとき、本体２１１内に内蔵され、且ついずれかの第２の開口２１１３の底部２１１４より突出したいずれかの導電片２１２の第２の端末２１２２は、くぼみ区２２１内のいずれかの導電端子２２３と接触して電気導通状態を形成する。アダプタ・コネクタ２１がケーシング２２のくぼみ区２２１に差し込まれると、使用者はアダプタ・コネクタ２１を時計方向または反時計方向へ所定の角度（約５°ないし９０°）回転させて第２の位置に到達させる。
【００４０】
すると、この第２の位置において、アダプタ・コネクタ２１の支持アーム２１３に取り付けられた突出部２１４が弾き上り、ケーシング２２上の第１の開口２２２に差し込み嵌合されて、アダプタ・コネクタ２１がケーシング２２上に係合により固定される。これと同時に、本体２１１内に内蔵され、且つ第２の開口２１１３の底部２１１４より突出したいずれかの導電片２１２における第２の端末２１２２がくぼみ区２２１内の導電端子２２３と接触して電気導電状態を形成する。すなわち、アダプタ・コネクタ２１とケーシング２２との接合が完成される。
【００４１】
なお、製品の需要や設計上の理由等により、アダプタ・コネクタ２１がケーシング２２の第１の位置に入れられた時点で、アダプタ・コネクタ２１の本体２１１内に内蔵され、且つ第２の開口２１１３の底部２１１４より突出したいずれかの導電片２１２の第２の端末２１２２をくぼみ区２２１内の導電端子２２３と直ぐに接触させる代わりに、アダプタ・コネクタ２１を回転させて第２の位置に入れられてから、いずれかの導電片２１２の第２の端末２１２２をくぼみ区２２１内の導電端子２２３と接触させて電気導電状態を形成させるようにしてもよい。
【００４２】
そして、使用者がアダプタ・コネクタ２１を取り替えるときは、ケーシング２２の第１の開口２２２内に嵌め込まれた突出部２１４を下へ押す。すると、アダプタ・コネクタ２１とケーシング２２との嵌合が解除される。アダプタ・コネクタ２１を第２の位置から第１の位置に回転させることによりアダプタ・コネクタ２１をケーシング２２のくぼみ区２２１内から取り出す。しかる後、使用者が取り替えたい新しいアダプタ・コネクタ２１をくぼみ区２２１内の第１の位置に差し込んで第２の位置に回転させる。このようにして、アダプタ・コネクタ２１の取り替え過程を完成することができる。
【００４３】
本実施の形態において、アダプタ・コネクタ２１上の突出部２１４がケーシング２２上の第１の開口２２２に嵌め込まれると、突出部２１４の軸方向の水平高度は、ケーシング２２上の第３の表面２３の軸方向における水平高度よりやや低くなる。ここにおいて、第３の表面２３とは、第１の開口２２２のケーシング２２上における平面をいう。第３の表面２３の軸方向は、第３の表面２３に対して垂直である。したがって、使用者が本実施の形態の電源アダプタ２０を緊密にソケットに差し込むと、ケーシング２２の第３の表面２３が完全にソケットに密着し、例えば先行技術の「ＰＵＳＨ」キー１２３（図７（Ａ）参照）との不本意な接触により生じるアダプタ・コネクタ２１の離脱および使用上の不便を引き起こすことを回避することができる。
【００４４】
図３には本発明の第２の実施の形態に係る電源アダプタの構造見取図を示す。詳細には、図３（Ａ）は、電源アダプタのケーシング２２を示す概略的な斜視図を示し、図３（Ｂ）は、電源アダプタのアダプタ・コネクタ２１を示す概略的な斜視図を示す。
【００４５】
図３に示すように、アダプタ・コネクタ２１とケーシング２２とを接合する場合、アダプタ・コネクタ２１をケーシング２２に対して所定の角度回転させてケーシング２２と嵌合させる。このような回転は、図３（Ａ）に示すケーシング２２内部のガイド・スロット３３を介して行なわれ、その回転角度は５°ないし９０°である。
【００４６】
アダプタ・コネクタ２１を第１の位置（すなわち、支持アーム２１３および突出部２１４がちょうどケーシング２２のくぼみ区２２１に進入した状態）から第２の位置（すなわち、突出部２１４が第１の開口２２２に嵌め込まれた状態）に回転させる場合に通過する中間の空間がガイド・スロット３３である。このガイド・スロット３３は、ケーシング２２内に位置すると共に、くぼみ区２２１の側壁（側部）に位置されている。
【００４７】
ガイド・スロット３３は、突出部２１４の入口端である第１の端末３３１と突出部２１４の出口端である第２の端末３３２とを備えている。アダプタ・コネクタ２１をケーシング２２に対して回転させると、このガイド・スロット３３はさらに、突出部２１４または、支持アーム２１３および突出部２１４が通過するルートとなる。突出部２１４は、このルートを通して第１の開口２２２に到達してこれに嵌合され、アダプタ・コネクタ２１がケーシング２２上に係合により固定される。
【００４８】
このガイド・スロット３３は、高さが同一なチャンネルではなく、第１の位置に片寄る所では、ガイド・スロット３３の頂端の軸方向における水平高度が比較的高くなっている。第１の開口２２２に近づくにつれて、ガイド・スロット３３の頂端の軸方向における水平高度が徐々に低くなっている。この軸方向は、ケーシング２２の第３の表面２３に対して垂直であり、この水平高度の徐々に降下する構造により、支持アーム２１３および突出部２１４はいずれもアダプタ・コネクタ２１の回転により生ずる圧力を受けて徐々に下へ押される。このため、突出部２１４がケーシング２２上の第１の開口２２２に到達するや、突出部２１４が弾き上り、第１の開口２２２と相互に嵌合されてアダプタ・コネクタ２１がケーシング２２上に係合により固定される。
【００４９】
ここで、突出部２１４と第１の開口２２２とが相互に嵌合されたとき、突出部２１４の頂点２１４１は、ケーシング２２の第３の表面２３の軸方向における水平高度を超過しない。また、支持アーム２１３および突出部２１４は、いずれも弾性構造を有する。このため、支持アーム２１３および突出部２１４の両者がガイド・スロット３３を通過するときに順調に押圧され、支持アーム２１３または突出部２１４が押圧力を受けたために壊れてしまうような事態を招くことが防止される。
【００５０】
上記本発明の実施の形態に開示された電源アダプタは、アダプタ・コネクタ２１上の支持アーム２１３と突出部２１４との設計に工夫をこらし、さらにケーシング２２上のくぼみ区２２１とガイド・スロット３３との整合に工夫をこらして、アダプタ・コネクタ２１をケーシング２２の平面にしっかり固定させ得るようにした。このため、従来の技術にあるような「ＰＵＳＨ」キー１２３（図７参照）の突出を回避することができる。また、同時に、アダプタ・コネクタ２１における本体２１１、支持アーム２１３および突出部２１４が一体成形の方式で製作されているので、アダプタ・コネクタ２１の対応構造であるケーシング２２において余計な部品を省くことができ、製作が比較的簡易になる。
【００５１】
言うまでもなく、通常の電源アダプタは使用の際ソケットの方向に合わせなければならないので、導電片２１２の方向が固定的であれば使用上の不便を来たす。これの解決手段として本実施の形態は、ケーシング２２上に複数の第１の開口２２２と、これら第１の開口２２２の各々開口２２２の間にガイド・レール３３とを加設したので、アダプタ・コネクタ２１が所定の角度回転させた後に需要に応じてさらに所定の角度回転させれば、使用上に生ずる不便の欠点を解消することができる。
【００５２】
さらに、図４および図５には本発明の第３の実施の形態に係る電源アダプタの構造見取図を示す。詳細には、図４（Ａ）は、電源アダプタのケーシングを示す概略的な斜視図を示し、図４（Ｂ）は、電源アダプタのアダプタ・コネクタを示す概略的な斜視図を示す。図５（Ａ）は、電源アダプタのケーシングを示す概略的な斜視図を示し、図５（Ｂ）は、電源アダプタのアダプタ・コネクタを示す概略的な斜視図を示す。
【００５３】
図４（Ａ）および図５（Ａ）に示すように、ケーシング２２の部分くぼみ区２２１の側壁には、第１のダンパ４１が設けられている。図４（Ｂ）および図５（Ｂ）に示すように、部分アダプタ・コネクタ２１の側壁には、第２のダンパ４１１が設けられている。
【００５４】
このように構成することにより、アダプタ・コネクタ２１がくぼみ区２２１の第１の位置に進入されて第２の位置まで回転された後、部分アダプタ・コネクタ２１の側壁における第２のダンパ４１１がケーシング２２の部分くぼみ区２２１の側壁の第１のダンパ４１に制限されて、くぼみ区２２１に係合により固定される。
【００５５】
また、第１のダンパ４１および第２のダンパ４１１は需要に応じて設置され、要は両者が互いに整合できればよい。例えば図４（Ａ）に示すように、第１のダンパ４１は部分くぼみ区２２１の側壁に設置されており、アダプタ・コネクタ２１が円形の場合、その直径はくぼみ区２２１の直径よりもやや小さく設定されている。
【００５６】
アダプタ・コネクタ２１がケーシング２２のくぼみ区２２１に進入され、第１の位置から第２の位置に回転された後、アダプタ・コネクタ２１の突出部２１４は第１の開口２２２に進入して、アダプタ・コネクタ２１をケーシング２２上に係合（固定）させる。これと同時に、アダプタ・コネクタ２１の側壁における第２のダンパ４１１は、くぼみ区２２１における第１のダンパ４１により食い止められ、アダプタ・コネクタ２１がよりしっかりケーシング２２上に係合により固定される。
【００５７】
また、製品需要の相違に応じて、部分くぼみ区２２１の側壁における第１のダンパ４１の数量および部分アダプタ・コネクタ２１の側壁に取り付けられた第２のダンパ４１１の数量が複数個に設けられる。このため、アダプタ・コネクタ２１をより安定した形式でケーシング２２上に係合により固定させることができる。
【００５８】
さらに、図６には本発明の第４の実施の形態に係る電源アダプタの構造見取図を示す。詳細には、図６（Ａ）は、電源アダプタのケーシングを示す概略的な斜視図を示し、図６（Ｂ）は、電源アダプタのアダプタ・コネクタを示す概略的な斜視図を示す。
【００５９】
この実施の形態の技術的手段によれば、本実施の形態の電源アダプタは、上記実施の形態におけるケーシング２２上の第１の開口２２２、アダプタ・コネクタ２１上の支持アーム２１３および突出部２１４の代わりに、図６（Ａ）に示すくぼみ区２２１の側壁に位置する第１のダンパ４１と、図６（Ｂ）に示すアダプタ・コネクタ２１の側壁に位置する第２のダンパ４１１とにより、アダプタ・コネクタ２１をケーシング２２上に係合により固定させる。
【００６０】
また、製品需要の相違に応じて、部分くぼみ区２２１の側壁における第１のダンパ４１の数量および部分アダプタ・コネクタ２１の側壁に取り付けられた第２のダンパ４１１の数量が複数個に設けられる。このため、アダプタ・コネクタ２１を最も安定した形式でケーシング２２上に係合により固定させることができる。
【００６１】
第２のダンパ４１１には、第１の固定装置（図示せず）が設けられている。第２のダンパ４１１上には、第２の固定装置（図示せず）が設けられている。その中、第１の固定装置および第２の固定装置は通常、ノッチまたは突起である。そして、アダプタ・コネクタ２１をケーシング２２のくぼみ区２２１内に入れて所定の角度回転させると、第１の固定装置が第２の固定装置と相互に結合して、部分的または全面的に第２のダンパ４１１が第１のダンパ４１にカバーされる。また、第１のダンパ４１を第２のダンパ４１１と相互結合させてアダプタ・コネクタ２１をケーシング２２上に係合により固定させる。
【００６２】
ここで、使用者がアダプタ・コネクタ２１をケーシング２２から離脱させたい場合は、取り付け時と反対の方向にアダプタ・コネクタ２１を所定の角度回転させれば、アダプタ・コネクタ２１およびケーシング２２が互いに分離される。
【００６３】
このように本発明の電源アダプタにあっては、アダプタ・コネクタ２１における導電片２１２の製作時に、それを湾曲させるための加工ステップを必要としない他、支持アーム２１３および突出部２１４とアダプタ・コネクタ２１の本体２１１との間はいずれも一体成形の方式で製作されているのでコストが大幅に低減される。
【００６４】
同様に本発明のケーシング２２には、アダプタ・コネクタ２１に対応して第１の開口２２２およびガイド・レール３３が一体成形方式で製作されているので、その他の部品の製作および組み立てを必要としない。これによりアダプタ・コネクタ２１およびケーシング２２を一層容易に組み立てることができる。この上、両者間の嵌合状態をより容易、且つ堅固に取り合わせることができ、使用者が意識的に係止部に対して力を加えなければ両者を分離することができない。
【００６５】
要するに、本発明の回転式アダプタ・コネクタ２１を利用した電源アダプタを提供することにより、アダプタ・コネクタ２１とケーシング２２との間がより堅固に結合されると共に、使用者の一時的な不注意によるアダプタ・コネクタ２１とケーシング２２との分離を回避することができる。すなわち、上記目的を達成するための本発明の電源アダプタは、くぼみ区２２１とくぼみ区２２１内に位置する導電端子２２３と第１の開口２２２とを有するケーシング２２と、第１の表面２１１１および第２の開口２１１３が穿設された第２の表面２１１２を有する本体２１１と、導電片２１２および突出部２１４を有するアダプタ・コネクタ２１とを備えている。これにより、本発明の電源アダプタは、従来から存在していた上記問題を解決しようとするものである。
【００６６】
本発明の技術的思想は当然上記の実施の形態に限定されるものでない。以下、上記実施の形態が裏付ける技術的手段を総合して述べる。すなわち第１の実施態様において、ケーシング２２上のくぼみ区２２１は、ちょうどアダプタ・コネクタ２１を収容できるように形成されている。このため、アダプタ・コネクタ２１がケーシング２２と結合して電源アダプタを形成する。したがって、くぼみ区２２１の外形は通常、アダプタ・コネクタ２１と支持アーム２１３との外形により決定される。
【００６７】
アダプタ・コネクタ２１上の導電片２１２は、いずれも本体２１１上の第１の表面２１１１より突出している第１の端末２１２１と、本体２１１内に内蔵され、且つ第１の開口２２２の底部より突出している第２の端末２１２２とに区分されている。アダプタ・コネクタ２１上の支持アーム２１３は、その上の本体２１１に接続されている他、本体２１１より横方向に突出されている。支持アーム２１３はさらに、ケーシング２２上の第１の開口２２２と相互嵌合する突出部２１４を備えている。
【００６８】
このアダプタ・コネクタ２１をくぼみ区２２１の第１の位置に置いた後、所定の角度回転させてアダプタ・コネクタ２１を第２の位置に到達させると、支持アーム２１３の突出部２１４がケーシング２２上の第１の開口２２２に嵌合してアダプタ・コネクタ２１をケーシング２２上に係合により固定されると共に、導電片２１２が導電端子２２３と相互接触して電気導通状態を形成する。
【００６９】
また、例として挙げた第２の実施態様において、ケーシング２２内には、さらに突出部２１４を順調に第１の開口２２２と嵌合するガイド・スロット３３を備えている。アダプタ・コネクタ２１をケーシング２２と接合させる時に、このガイド・スロット３３を通してアダプタ・コネクタ２１を所定の角度回転させてケーシング２２と嵌合できるようにしている。この回転角度の範囲は５°ないし９０°であり、アダプタ・コネクタ２１はこの範囲の回転により、第１の位置から中間に位置するガイド・スロット３３を通過して第２の位置に至る。
【００７０】
ガイド・スロット３３は、ケーシング２２内のくぼみ区２２１の側壁に形成されており、アダプタ・コネクタ２１の回転時に、突出部２１４または、支持アーム２１３および突出部２１４が通過するルートである。突出部２１４は、このルートを通して第１の開口２２２に到達し、それと嵌合してアダプタ・コネクタ２１をケーシング２２上に固定させる。
【００７１】
ガイド・スロット３３はさらに、突出部２１４の入口端である第１の端末３３１と突出部２１４の出口端である第２の端末３３２とを備えている。このガイド・スロット３３の第１の端末３３１および第２の端末３３２の軸方向における水平高度は同一でなく、軸方向はケーシング２２上の第３の表面２３、すなわちケーシング２２上の第１の開口２２２が所在する平面に対して垂直である。ガイド・スロット３３の第１の端末３３１において、ガイド・スロット３３の頂端の軸方向における水平高度は比較的高く、ガイド・スロット３３の第２の端末３３２に近づくにつれて、ガイド・スロット３３の頂端の軸方向における水平高度が徐々に低くなっている。この水平高度が徐々に降下している構造により、支持アーム２１３および突出部２１４はいずれもアダプタ・コネクタ２１の回転により生ずる圧力を受けて徐々に下へ押される。そして、ケーシング２２上の第１の開口２２２に到達するや突出部２１４が弾き上り、第１の開口２２２と相互嵌合してアダプタ・コネクタ２１をケーシング２２上に係合により固定させる。
【００７２】
また、例として挙げた第３の実施態様において、本実施の形態の部分くぼみ区２２１の側壁には第１のダンパ４１が設置されている。部分アダプタ・コネクタ２１の側壁には、第２のダンパ４１１が設置されている。このため、アダプタ・コネクタ２１がくぼみ区２２１の第１の位置に進入して第２の位置に回転した後、部分アダプタ・コネクタ２１上の側壁の第２のダンパ４１１が部分くぼみ区２２１の側壁に設置された第１のダンパ４１に制限されてくぼみ区２２１に固定される。ちなみに、この第１のダンパ４１および第２のダンパ４１１は需要に応じて設置されるもので、第１のダンパ４１と第２のダンパ４１１とが互いにマッチできればよい。
【００７３】
なお、例として挙げた第４の実施態様において、本実施の形態の電源アダプタは、ケーシング２２上の第１の開口２２２、アダプタ・コネクタ２１上の支持アーム２１３および突出部２１４の代わりに、くぼみ区２２１の側壁上に位置する第１のダンパ４１と、アダプタ・コネクタ２１の側壁上に位置する第２のダンパ４１１とにより、アダプタ・コネクタ２１をケーシング２２上に固定させるように構成されている。
【００７４】
第１のダンパ４１上には、第１の固定装置が設置されている。第２のダンパ４１１上には、第２の固定装置が設けられている。この第１の固定装置および第２の固定装置は通常、ノッチまたは突起である。そして、アダプタ・コネクタ２１をケーシング２２のくぼみ区２２１内に入れて所定の角度回転させると、第１の固定装置が第２の固定装置と相互結合して、部分または全面的に第２のダンパ４１１が第１のダンパ４１にカバーされると共に、第１のダンパ４１を第２のダンパ４１１と相互結合させてアダプタ・コネクタ２１をケーシング２２上に係合により固定させる。
【００７５】
特に、本発明の電源アダプタのケーシング２２とアダプタ・コネクタ２１とはいずれも一体成形方式で製造され得るので電源アダプタの加工ステップを減少できると共に電源アダプタの製作コストをダウンさせることができる。
【００７６】
また、先行技術における導電片１１１（図７（Ｂ）参照）に対して加工を施しているので、余計に一個の部品を製作する必要があり、且つアダプタ・コネクタ１１が容易に離脱する等の既存の問題を解決することができる。このため、製作コストおよび製作時間が大幅に改善されており、産業の利用可能性が大である。
【図面の簡単な説明】
【００７７】
【図１】第１の実施の形態に係り、（Ａ）はケーシングを示す概略的な斜視図、（Ｂ）はアダプタ・コネクタを示す概略的な斜視図。
【図２】第１の実施の形態に係るアダプタ・コネクタを示す概略的な側面図。
【図３】第２の実施の形態に係り、（Ａ）はケーシングを示す概略的な斜視図、（Ｂ）はアダプタ・コネクタを示す概略的な斜視図。
【図４】第３の実施の形態に係り、（Ａ）はケーシングを示す概略的な斜視図、（Ｂ）はアダプタ・コネクタを示す概略的な斜視図。
【図５】第３の実施の形態に係り、（Ａ）はケーシングを示す概略的な斜視図、（Ｂ）はアダプタ・コネクタを示す概略的な斜視図。
【図６】第４の実施の形態に係り、（Ａ）はケーシングを示す概略的な斜視図、（Ｂ）はアダプタ・コネクタを示す概略的な斜視図。
【図７】従来技術に係り、（Ａ）はケーシングを示す概略的な斜視図、（Ｂ）はアダプタ・コネクタを示す概略的な斜視図。
【図８】従来技術に係り、（Ａ）はアダプタ・コネクタのカバーを取り外した状態を示す概略的な斜視図、（Ｂ）はアダプタ・コネクタを示す概略的な上面図。
【図１】
2004228080.tif 000003
【図２】
2004228080.tif 000004
【図３】
2004228080.tif 000005
【図４】
2004228080.tif 000006
【図５】
2004228080.tif 000007
【図６】
2004228080.tif 000008
【図７】
2004228080.tif 000009
【図８】
2004228080.tif 000010